(57)【要約】      （修正有）【課題】撮像された目的とする被写体のもつ情報がサイト上に公開される際、目的とする被写体の大きさをはじめとする撮像された撮像画から得られる情報をコンピュータ上で解析し易くする他、必要に応じ、上記目的とする被写体の所有者と撮像者との異同に関係なく上記目的とする被写体の所有者の同定を容易に実現し得る携帯型器具を提供する。【解決手段】上記課題を解決すべく補助的に用いられ得る携帯スケールプレート１であって、表裏両面を有する板状プレートの第１の面に備えられた一意コード２と、第１の面に備えられ、物差しとなり得る目盛８と、第１の面に備えられ、撮像された撮像画から目的とする被写体の外寸解析、及び撮像画に生じ得る歪みの補正を行うために使用する平行線３と、板状プレートの第２の面に備えられたユーザーＩＤ識別子５と、さらに、第２の面に取外し可能に備えられ、予め初期パスワードが記載されたラベル６とを備えたものとする。【選択図】図１
0003150510.tif 000002
【実用新案登録請求の範囲】
【請求項１】
撮像された目的とする被写体のもつ情報がネットワーク上のウェブサイトに公開される際、撮像された撮像画から得られる情報をコンピュータ上で解析し易くすべく補助的に用いられ得る携帯スケールプレートであって、
表裏両面を有する板状プレートの第１の面に備えられた一意コードと、
前記第１の面に備えられ、物差しとなり得る目盛りと、
前記第１の面に備えられ、撮像された前記撮像画から前記目的とする被写体の外寸解析、及び前記撮像画に生じ得る歪みの補正を行うために使用する平行線と、
前記板状プレートの第２の面に備えられたユーザーＩＤ識別子と、さらに、
前記第２の面に取り外し可能に備えられ、あらかじめ初期パスワードが記載されたラベルと、
を備えたことを特徴とする携帯スケールプレート。
【請求項２】
さらに、前記平行線が正方形として備え設けられ、撮像された前記撮像画が正面から撮像されたもので無い場合に当該撮像画の歪みを補正する為の基準として用いられ得ることを特徴とする請求項１に記載の携帯スケールプレート。
【請求項３】
前記一意コードは、前記目的とする被写体と前記携帯スケールプレートの前記第１の面が撮像機器により撮像され、前記ネットワーク上の前記ウェブサイトへ公開される際、前記携帯スケールプレートのユーザーが前記目的とする被写体の所有者である旨を前記コンピュータ上に登録するために用いられ得る識別コードであることを特徴とする請求項１又は２に記載の携帯スケールプレート。
【請求項４】
さらに、前記一意コードが上下識別マークを備えてなり、前記目的とする被写体と前記携帯スケールプレートの前記第１の面が撮像機器により撮像され、前記ネットワーク上の前記ウェブサイトへ公開される際、前記撮像画に係る撮像データからコンピュータ解析により前記一意コードを読み取る時に前記上下識別マークとの相互関係にて上下左右認識を行い得ることを特徴とする請求項１〜３のいずれかに記載の携帯スケールプレート。
【請求項５】
前記ユーザーＩＤ識別子は、前記目的とする被写体の所有者が、前記ネットワーク上の前記ウェブサイトに公開された前記撮像画及び当該撮像画から得られた諸情報に対する補足情報若しくは説明を追記又は、前記撮像画及び当該撮像画に係る諸情報を保守する目的で前記ウェブサイトにログインする際に用いられるものであることを特徴とする請求項１〜４のいずれかに記載の携帯スケールプレート。
【請求項６】
前記ラベルに記載された前記初期パスワードは、前記目的とする被写体の所有者が、前記ネットワーク上の前記ウェブサイトに公開された前記撮像画及び当該撮像画から得られた諸情報に対する補足情報若しくは説明を追記又は、前記撮像画及び当該撮像画に係る諸情報を保守する目的で前記ウェブサイトにログインする際に用いられる初回用パスワードであって、さらに、
前記携帯スケールプレートのユーザーが前記携帯スケールプレートを入手後に前記ラベルを前記携帯スケールプレートから取り外すことにより、前記ウェブサイトに公開された前記撮像画及び当該撮像画に係る諸情報が他人によって改ざん若しくは改変されることを防ぎ得ることを特徴とする請求項１〜５のいずれかに記載の携帯スケールプレート。
【請求項７】
請求項１に記載の携帯スケールプレートとネットワークを利用してなる撮像情報の公開システムであって、
目的とする被写体と、請求項１に記載の携帯スケールプレートの第１の面とを撮影範囲内に包含して撮像画を撮像し得る撮像手段と、
前記撮像手段によって撮像された撮像画を外部に送信する送信手段と、
前記送信手段から送信された前記撮像画を受信する受信手段と、
前記受信手段を介して前記撮像画が入力され、前記撮像画中に前記目的とする被写体と共に撮像された前記携帯スケールプレートの前記第１の面に備えられた、一意コード、目盛り及び平行線とを識別して、少なくとも前記目的とする被写体の所有者の同定と、前記目的とする被写体の大きさの推定と、を行い、これらの処理情報が前記撮像画に加えられてなる撮像情報をネットワーク上に公開し得るコンピュータと、および、
前記コンピュータとネットワークを介して接続され、前記ネットワーク上に公開された前記撮像情報にアクセスし得る少なくとも一以上のクライアントＰＣと、
からなることを特徴とする撮像情報の公開システム。
【考案の詳細な説明】
【技術分野】
【０００１】
本考案は、撮像された目的とする被写体のもつ情報がウェブサイト上に公開される際、目的とする被写体の大きさをはじめとする撮像された撮像画から得られる情報をコンピュータ上で解析し易くする他、必要に応じ上記目的とする被写体の所有者と撮像者とを容易に識別可能にすべく補助的に用いられ得る携帯スケールプレートに関するものである。
【背景技術】
【０００２】
デジタル撮影機器により撮像された目的とする被写体（例えば、釣り人等によって釣り上げられた釣り魚等を想定する）の大きさを実感するには、例えば絶対的な基準となり得る比較対照物を含めて撮像するのが一般的である。しかしながら、撮像者以外の人が撮像画を見たときに上記比較対照物の大きさが実感できなければ、目的被写体の大きさも実感できないし、目的被写体の外形の概略寸法も計測することはできない。
【０００３】
また、上記撮像された目的とする被写体がウェブサイト上に公開される際には、好ましくは被写体と撮像者との関係、すなわち、撮像者によって撮像されたその撮像画中に写っている被写体について、ｉ）被写体が撮像者の所有物であるのか、ｉｉ）他人のものを撮像したに過ぎないものであるのか、或いはｉｉｉ）他人若しくは公共物を撮像したに過ぎないものであるのか、が明らかにされるべきである。
そして、撮像者がｉｉ）他人のもの、或いはｉｉｉ）他人を撮像したような場合、撮像者が目的とする被写体を情報として、インターネット上のウェブサイトに情報公開する際においては、目的とする被写体の所有者、或いはその被写体となった他人の同意を求めた上で、上記事実を明記して公表するのが好適である。
ところが、上記事実を明記した上でウェブサイトに情報公開するには手間を要することも影響して、現実としては多くの有益なデジタル撮像情報がインターネット上のウェブサイトに公開されていない。
［参考特許文献２］特開２００４−１０４２９７号公報
【考案の概要】
【考案が解決しようとする課題】
【０００４】
上記の通り、デジタル撮影機器により撮像された目的とする被写体から得られる情報の一つとして目的とする被写体の大きさがあるところ、撮像画の中に目的とする被写体の大きさを実感する為の比較対照物が無ければ、当該撮像画閲覧者から見た撮像情報に対する価値が低下する原因となり得る。
さらに、上記比較対照物が撮像画中にあっても、それが当該撮像画閲覧者に馴染みの薄い物であれば、やはり当該撮像画閲覧者から見た撮像情報に対する価値が低下する原因となり得る。
【０００５】
また、デジタル撮影機器により撮像された目的とする被写体の所有者の同定を実現するには、例えば目的とする被写体と何らかの「名札」を同時に撮像することで、目的とする被写体の所有者と撮像者との異同に関係なく、上記目的とする被写体の所有者を撮像画上で目視によって明確に視認させ得る様にし、その上で、上記目的とする被写体と撮像者との関係（例えば、上記ｉ）〜ｉｉｉ）に列記したようなもの等）を明確にすることは可能とも考えられる。
しかしながら、通常、作成された名札の文字をコンピュータにより自動的に識別し認識するには、高性能の文字認識ソフト等の追加コストが必要となるほか、ハードウェア及び／又はソフトウェア上の都合から名札の文字に多くの制約がかかることが大半であり、当該制約をも勘案した上で名札を作成するのは非常に手間がかかり、簡便性に欠ける。したがって、このような技術的制約があることも、インターネット上のウェブサイトへ撮像情報の公開が円滑に進んでいないことのひとつの要因となっている。
さらに、名札に記載される内容が氏名であれば、同姓同名についてはコンピュータでは処理判断出来ないという別の問題も生じる。
【０００６】
ここで、特開２００４−１０４２９７号公報には、撮影したデジタル画像データ（顔写真）が誰のものか、識別できるようにし得る写真撮影装置が開示されている。この公報に係る写真撮影装置では、撮影したデジタル画像データ（顔写真）が「誰の顔写真か」という情報を新たに付加すべく、ｉ）テキストデータ（画像データと区別するための用語）入力手段と、ｉｉ）デジタルカメラで撮影されたデジタル画像データに、固有のテキストデータを対応させるデータ処理手段と、から、ｉｉｉ）該テキストデータによって識別可能なデジタル画像データを作成する旨が開示されている（請求項１参照）。さらに、同公報では、上記テキストデータ入力手段が、所定の様式でテキストが表示された書札を走査して画像データ化するスキャナと、該画像データをさらにテキストとして認識してテキストデータ化する文字認識手段とを含んでなるものであっても良い旨が開示されている（請求項２参照）。その他、同公報では、上記テキストデータ入力手段が、記録媒体（市井に流通しているメモリカード等）に記録されたファイルに所定の方式で書き込まれたテキストデータを読み込む記録媒体読み取り手段（カードリーダ／ライタ等）であっても良い旨が開示されている（請求項３参照）。
しかしながら、同公報に開示の先行技術によっても、文字認識に係る上記技術的、或いはコスト面での課題は依然として解消されない。また、メモリカード及びカードリーダ／ライタによる電子的手段の場合、これらを別途要するというコスト面の課題のほか、撮影とは別途、一々この記録媒体の脱着作業を要することや、記録媒体に予め必要なテキストデータを入力する作業を要することから、やはりユーザーに負担を生じるという問題があった。
【０００７】
したがって本考案は、これらの諸問題を解決すべく、撮像画から得られる情報をコンピュータ上で解析し易くし、目的とする被写体がもつ多くの有益な情報がインターネット上のウェブサイトに公開されるべく有効に機能する補助器具を提供することを課題とする。
又本考案は、撮像された目的とする被写体のもつ情報がウェブサイト上に公開される際、目的とする被写体の大きさをはじめとする撮像された撮像画から得られる情報をコンピュータ上で解析し易くする他、必要に応じ、上記目的とする被写体の所有者と撮像者との異同に関係なく上記目的とする被写体の所有者の同定を容易に実現し得る、簡便かつ低コストな携帯型器具を提供することを課題とする。
【課題を解決するための手段】
【０００８】
上記課題を解決すべく種々検討を重ねた結果、本願出願人は、下記の各構成要件を備えたスケールプレートを、目的とする被写体が撮像される際に補助的に用いられ得る携帯型器具となるよう提供することで上記課題を解決可能なことを見い出し、本考案を完成した。
【０００９】
上記課題を解決可能な本考案の携帯スケールプレートは、（１）撮像された目的とする被写体のもつ情報がネットワーク上のウェブサイトに公開される際、撮像された撮像画から得られる情報をコンピュータ上で解析し易くすべく補助的に用いられ得る携帯スケールプレートであって、
表裏両面を有する板状プレートの第１の面に備えられた一意コードと、前記第１の面に備えられ、物差しとなり得る目盛りと、前記第１の面に備えられ、撮像された前記撮像画から前記目的とする被写体の外寸解析、及び前記撮像画に生じ得る歪みの補正を行うために使用する平行線と、前記板状プレートの第２の面に備えられたユーザーＩＤ識別子と、さらに、
前記第２の面に取り外し可能に備えられ、あらかじめ初期パスワードが記載されたラベルと、を備えたことを特徴とするものである。
【００１０】
又本考案に係る携帯スケールプレートは、さらに、（２）前記平行線が正方形として備え設けられ、撮像された前記撮像画が正面から撮像されたもので無い場合に当該撮像画の歪みを補正する為の基準として用いられ得ることを特徴とするものである。
【００１１】
また、（３）前記一意コードは、前記目的とする被写体と前記携帯スケールプレートの前記第１の面が撮像機器により撮像され、前記ネットワーク上の前記ウェブサイトへ公開される際、前記携帯スケールプレートのユーザーが前記目的とする被写体の所有者である旨を前記コンピュータ上に登録するために用いられ得る識別コードであることが好ましい。
【００１２】
又本考案に係る携帯スケールプレートは、さらに、（４）前記一意コードが上下識別マークを備えてなり、前記目的とする被写体と前記携帯スケールプレートの前記第１の面が撮像機器により撮像され、前記ネットワーク上の前記ウェブサイトへ公開される際、前記撮像画に係る撮像データからコンピュータ解析により前記一意コードを読み取る時に前記上下識別マークとの相互関係にて上下左右認識を行い得ることを特徴とするものである。
【００１３】
さらに、（５）前記ユーザーＩＤ識別子は、前記目的とする被写体の所有者が、前記ネットワーク上の前記ウェブサイトに公開された前記撮像画及び当該撮像画から得られた諸情報に対する補足情報若しくは説明を追記又は、前記撮像画及び当該撮像画に係る諸情報を保守する目的で前記ウェブサイトにログインする際に用いられるものであることが好ましい。
【００１４】
なお、本考案に係る携帯スケールプレートにおいては、（６）前記ラベルに記載された前記初期パスワードは、前記目的とする被写体の所有者が、前記ネットワーク上の前記ウェブサイトに公開された前記撮像画及び当該撮像画から得られた諸情報に対する補足情報若しくは説明を追記又は、前記撮像画及び当該撮像画に係る諸情報を保守する目的で前記ウェブサイトにログインする際に用いられる初回用パスワードであって、さらに、
前記携帯スケールプレートのユーザーが前記携帯スケールプレートを入手後に前記ラベルを前記携帯スケールプレートから取り外すことにより、前記ウェブサイトに公開された前記撮像画及び当該撮像画に係る諸情報が他人によって改ざん若しくは改変されることを防ぎ得るものであることが好ましい。
【００１５】
又本考案は、（７）以上に記載の携帯スケールプレートとネットワークを利用してなる撮像情報の公開システムであって、
目的とする被写体と、請求項１に記載の携帯スケールプレートの第１の面とを撮影範囲内に包含して撮像画を撮像し得る撮像手段と、前記撮像手段によって撮像された撮像画を外部に送信する送信手段と、前記送信手段から送信された前記撮像画を受信する受信手段と、前記受信手段を介して前記撮像画が入力され、前記撮像画中に前記目的とする被写体と共に撮像された前記携帯スケールプレートの前記第１の面に備えられた、一意コード、目盛り及び平行線とを識別して、少なくとも前記目的とする被写体の所有者の同定と、前記目的とする被写体の大きさの推定と、を行い、これらの処理情報が前記撮像画に加えられてなる撮像情報をネットワーク上に公開し得るコンピュータと、および、前記コンピュータとネットワークを介して接続され、前記ネットワーク上に公開された前記撮像情報にアクセスし得る少なくとも一以上のクライアントＰＣと、からなることを特徴とするものである。
【００１６】
なお、本明細書において、目的とする被写体の「大きさ」とは、少なくとも本考案の携帯スケールプレートに並べて配置された目的とする被写体の、携帯スケールプレートの目盛りと平行な方向に係る全長を指し示すものとする。
【考案の効果】
【００１７】
本考案によれば、撮像画から得られる情報がコンピュータ上で解析し易くなり、目的とする被写体がもつ多くの有益な情報がインターネット上のウェブサイトに公開されるべく有効に機能する、簡便かつ低コストな補助器具を提供することが可能となる。
又本考案によれば、撮像された目的とする被写体のもつ情報がウェブサイト上に公開される際、目的とする被写体の大きさをはじめとする撮像された撮像画から得られる情報はコンピュータ上で解析し易くなる他、必要に応じて、上記目的とする被写体の所有者と撮像者との異同に関係なく、上記目的とする被写体の所有者の同定を容易に実現することが可能となる。
【図面の簡単な説明】
【００１８】
【図１】本考察に係る携帯スケールプレートの表裏両面を示す図である。
【図２】本考案の一実施形態を示す全体イメージ図である。
【考案を実施するための形態】
【００１９】
以下、添付図面に基づき、本考案の一実施形態に付き説明する。図１は本考案に係る携帯スケールプレートの表裏両面を示す図、図２は本考案の一実施形態を示す全体イメージ図である。
【００２０】
［携帯スケールプレート］
はじめに、本考案に係る携帯スケールプレートの一実施形態につき説明する前に、前提として、この携帯スケールプレートとネットワークを利用してなる撮像情報の公開システム１００の概要を以下に説明する。
【００２１】
図１に示す通り、本実施形態に係る携帯スケールプレート１は、撮像された目的とする被写体（例えば、図２に示す釣り魚）７のもつ情報がネットワーク１４上のウェブサイトに公開される際、撮像された撮像画から得られる情報をコンピュータ１３上で解析し易くすべく、補助的に用いられ得るものである。
【００２２】
図２に示す通り、撮像情報公開システム１００では、撮像画及びそれを解析することによって得られた諸情報は、コンピュータ１３からネットワーク１４上の或る特定のウェブサイトにアップロードされ、公開される。
そのようなウェブサイトの一例を挙げると、目的とする被写体７が例えば釣り人によって釣り上げられた釣り魚（図２参照）であった場合には、釣り情報交換サイトのようなものが挙げられる。釣り人達は、このようなサイトを中心にして、自分の釣った魚の撮像情報を公開して互いに情報交換を行う。
この釣り情報交換サイト上では、本発明に係る撮像情報公開システム１００を利用して、目的とする被写体である釣り魚７の撮像画、そして（その魚７の所有者でもある）魚７を釣り上げた釣り人に関する情報、およびその魚７の大きさに関する情報を少なくとも含んでなる撮像情報が公開される。
魚７を釣り上げた釣り人や釣り愛好家達は、自身のパソコン（クライアントＰＣ）１５からネットワーク１４を介してその釣り情報交換サイトへアクセスすることで、同サイト上に公開された撮像情報を閲覧することが可能になっている。
【００２３】
この携帯スケールプレート１とネットワーク１４を利用してなる撮像情報の公開システム１００の詳細については、後段で改めて説明する。
【００２４】
本実施形態に係る携帯スケールプレート１の外形自体は、通常の物差し定規（スケール）と変わりは無く、表裏両面を有する板状プレートからなっている。また以下では、携帯スケールプレート１の表側の面を第１の面と、裏側の面を第２の面と称して説明を行う。
【００２５】
本実施形態に係る携帯スケールプレート１は、第１の面に一意コード２と、目盛り８とを備えている。第１の面はさらに、撮像された撮像画から目的とする被写体７の外寸解析、及び撮像画に生じ得る歪みの補正を行うために使用する平行線３を備えている。
また、本実施形態に係る携帯スケールプレート１は、第２の面に、ユーザーＩＤ識別子５のほか、さらに、第２の面に取り外し可能に備えられ、あらかじめ初期パスワードが記載されたラベル６を備えている。
【００２６】
図１に示す一意コード２は、目的とする被写体７と携帯スケールプレート１の第１の面が撮像機器１０により撮像され、ネットワーク１４上のウェブサイトへ公開される際、携帯スケールプレートのユーザーすなわち所有者が目的とする被写体７の所有者である旨をコンピュータ１３上に登録するために用いられる識別コードとなっている。本実施形態では、一意コード２は、アルファベットと英数字の組み合わせからなっており、撮像画が転送されたコンピュータ１３において実施されるコンピュータ解析の負担は、日本語認識等に比較して格段に軽微なものとなっている（コスト等も低廉である）。また、極めて高い認識精度が得られるほか、与えられるコードはその携帯スケールプレートだけの唯一ユニークなものであるため、いわゆる同姓同名のような問題も生じることが無い。
【００２７】
平行線３は、その一辺の長さがコンピュータ解析される際の基準とされる。すなわち、或る一定間隔で目的とする被写体７を撮像したとき、平行線３の一辺の長さがコンピュータ解析される際に所定のピクセル数と一致するよう予め設定されている。
そうすると、上記一定間隔より遠いところから撮像した場合であっても、反対に近接したところから撮像した場合であっても、撮像画がコンピュータ解析される段階で、撮像画に写りこんだ平行線３の長短に影響が及ぶこととなるので、コンピュータ解析の段階で撮像画に写りこんだ平行線３の長短を比較対照し、これらを均一に補正することで、撮像画をウェブサイトに公開する際における、目的とする被写体７の大きさの判断基準を均一化することができる。
【００２８】
さらに、平行線３に与えられた上記機能を利用して、目的とする被写体７の概略寸法を、コンピュータ解析によって算出することも可能となっている。
すなわち、平行線３の一辺の長さを基に、目的とする被写体７の概略寸法がその何倍に当たるかによって、目的とする被写体７の概略寸法を算出することが可能となっている。
なお、携帯スケールプレート１には目盛り８も備えられており、画面上で撮像画を観る者にとっては、目的とする被写体７と並べられた携帯スケールプレート１の目盛り８と、コンピュータ解析によって算出された目的とする被写体７の概略寸法の値の双方を参考にして、目的とする被写体７の大きさを判断或いは他のものと比較、参照することができる。
【００２９】
ところで、本実施形態では図１に示す通り、第１面に示す平行線３は正方形として備え設けられている。この正方形は、撮像された撮像画が正面から撮像されたもので無い場合に、当該撮像画の歪みを補正する為の基準として用いることが可能となっている。いずれにしても補正作業自体は、撮像画が転送されたコンピュータ１３において実施される。
【００３０】
又本実施形態では、一意コード２の下方に、上下識別マーク４がアンダーライン状に備えられている。これはコンピュータ１３においてコンピュータ解析を実施する際に利用する補助マークである。
本実施形態では、撮像画に係る撮像データからコンピュータ解析により一意コード２を読み取る時に、（一意コード２の文字認識の可否からのみだけではなく、）一意コード２と上下識別マーク４との相互関係にて、画像認識を行う際における上下左右認識を行うことができる。
例えば、コンピュータ１３においてコンピュータ解析を実施している際に上下識別マーク４が一意コード２の上方に認識されれば、（一意コード２の文字認識も当然できないであろうがそれ以前に、）コンピュータは携帯スケールプレート１自体を反転して認識していることを瞬時に判定することができる。
【００３１】
次に、本実施形態に係る携帯スケールプレート１は、第２の面にユーザーＩＤ識別子５を備えている。
ユーザーＩＤ識別子５は、目的とする被写体７の所有者が、ネットワーク１４上のウェブサイトに公開された撮像画及び当該撮像画から得られた諸情報に対する補足情報若しくは説明を追記する目的で上記ウェブサイトにログインする際に用いるユーザーＩＤである。
ユーザーＩＤ識別子５はまた、撮像画及び当該撮像画に係る諸情報を保守する目的でウェブサイトにログインする際にも用いられる。
【００３２】
また、本実施形態の第２の面には、同面に取り外し可能に備えられ、あらかじめ初期パスワードが記載されたラベル６を備えている。
ラベル６に記載された初期パスワードは、目的とする被写体７の所有者が、ネットワーク１４上のウェブサイトに公開された撮像画及び当該撮像画から得られた諸情報に対する補足情報若しくは説明を追記等する目的で前記ウェブサイトにログインする際に用いられる初回用パスワードである。
【００３３】
本実施形態の携帯スケールプレート１は当初、上記ウェブサイトにログインするためのパスワードについて、第２の面に初回用パスワードが記載されたラベル６が備えられた状態で提供される。
そして、携帯スケールプレート１の所有者となった者は、この初回用パスワード及びユーザーＩＤ識別子５を用いて、ウェブサイトにログインすることが可能となる。
ここで、初回ログイン後にパスワードを変更し、さらに、初回用パスワードが記載されたラベル６を携帯スケールプレート１から取り外して保管又は廃棄することにより、パスワードは携帯スケールプレート１のユーザーである所有者本人のみが知るところとなる。
このようにすることで、ウェブサイトに公開された撮像画及び当該撮像画に係る諸情報が他人によって改ざん若しくは改変されることをより確実に防止することができる。
【実施例】
【００３４】
次に、本考案に係る携帯スケールプレートの一実施例として、上で説明した携帯スケールプレートとインターネットを利用してなる撮像情報の公開システムにつき説明する。以下の説明は、主に図２に基づいて行う。
【００３５】
［撮像情報の公開システム］
図２は、本実施例に係る撮像情報の公開システム１００の全体イメージ図である。携帯スケールプレート１の主な概要については上記したとおりである。
本実施例に係る撮像情報の公開システム１００は主に、デジタル撮影機器１０と、撮像データの受信基地１２と、コンピュータ１３と、ネットワーク１４と、少なくとも一以上のクライアントＰＣ１５とからなっている。図２では、デジタル撮影機器１０から撮像データの受信基地１２へ送信される撮像画に関しては、撮像データの伝送イメージ１１として表現されている。
【００３６】
デジタル撮影機器１０は、この考案における撮像手段に相当する。本実施例では、カメラ付き携帯電話が想定されており、この考案における送信手段の機能も兼ね備えたものとなっている。
【００３７】
撮像データの受信基地１２は、この考案における受信手段に相当する。本実施例では、携帯電話通信網の基地局が想定されており、カメラ付き携帯電話１０から送信、伝送されて来る撮像データ１１を受信し得る様になっている。
伝送されてきた撮像データ１１は撮像データの受信基地１２からコンピュータ１３へ転送される。
【００３８】
本実施例では、コンピュータ１３はウェブサーバの機能を発揮し得る汎用コンピュータが想定されている（以下、ウェブサーバ１３と称することもある）。
インターネット１４は、この考案におけるネットワークに相当する。
【００３９】
まず、本実施例に係る撮像情報の公開システム１００では、図２に示す通り、目的とする被写体７と、携帯スケールプレート１とが並べて配置される。これらはカメラ付き携帯電話１０の撮像範囲９に包含されて両者同時に撮像され、これにより、両者が目的とする被写体７と携帯スケールプレート１とが一緒に写った撮像画が得られる。
【００４０】
ここで、携帯スケールプレート１は第１の面側が見えるようにして配置される。携帯スケールプレート１の第１の面には少なくとも、一意コード２、目盛り８及び平行線３とが備えられている。
一意コード２はその名の通り、与えられたコードはただ一つしかないユニークなものであり、これを備えた携帯スケールプレート１を目的とする被写体７と並べて配置し、両者を撮像範囲９に包含して撮像し、撮像画上で両者を互いに関連付けることにより、撮像された目的とする被写体７についてはこの一意コード２に係る携帯スケールプレート１の所有者のものであると同定することができる。同定処理についてはウェブサーバ１３において行われる。
【００４１】
カメラ付き携帯電話１０で撮像、保存された撮像画は、適宜カメラ付き携帯電話１０から送信され、携帯電話システムの基地局１２を介してウェブサーバ１３に入力される。
ウェブサーバ１３では、上述したとおり撮像画中に目的とする被写体７と共に撮像された携帯スケールプレート１の第１の面に備えられた、一意コード２、目盛り８及び平行線３とを識別して、少なくとも目的とする被写体７の所有者の同定と、目的とする被写体７の大きさの推定と、を行い、これらの処理情報が撮像画に加えられてなる撮像情報をインターネット１４上に公開する。これらの工程は、目的とする被写体７の所有者と、撮像者の異同に何等関係なく行われる。本実施例では、ウェブサーバ１３で得られた撮像情報は、インターネット１４上の或る特定のウェブサイトにアップロードされ、公開される。なお、目的とする被写体７の所有者が公開されている撮像情報の補正を実施する際には、後記の通り、自身が所有する携帯スケールプレート１に付されたユーザーＩＤ識別子５及びパスワードを利用してそのウェブサイトにログインすることを通じて行う。
ここで、ウェブサーバ１３による一意コード２、目盛り８及び平行線３の識別要領、並びに認識されたこれらの情報から少なくとも目的とする被写体７の所有者の同定と、目的とする被写体７の大きさの推定とを行う要領は、ウェブサーバ１３内に備えられた公知の画像認識手段、文字認識手段、演算手段及びメモリからなるソフトウェア的処理に基づいていることが好ましい。
【００４２】
少なくとも一以上のクライアントＰＣ１５は、インターネット１４を介してウェブサーバ１３に接続される。
【００４３】
クライアントＰＣ１５では、インターネット１４のウェブサイト上に公開された撮像情報にアクセスすることができる。
【００４４】
公開された撮像情報には、撮像画のほか、ウェブサーバ１３における処理によって得られた、同定された目的とする被写体７の所有者に関する情報（一意コード２）と、推定された目的とする被写体７の大きさに関する情報とが少なくとも含まれる。
【００４５】
ここで、一意コード２が上下識別マーク４を備えているような場合には、上記撮像画に係る撮像データからコンピュータ解析により一意コード２を読み取る時に上下識別マーク４との相互関係にて上下左右認識を行い得るため、一意コードの解析や、目的とする被写体の大きさの推定をより高精度に実施することができる。
【００４６】
以上の構成からなる本実施例の撮像情報公開システム１００では、ウェブサーバ１３で得られた撮像情報は、インターネット１４上の或る特定のウェブサイトにアップロードされ、公開されるところ、そのようなウェブサイトの一例を挙げると、目的とする被写体７が例えば釣り人によって釣り上げられた釣り魚であった場合には、釣り情報交換サイトのようなものが挙げられる。釣り人達は、このようなサイトを中心にして、自分の釣った魚の撮像情報を公開して互いに情報交換を行う。
この釣り情報交換サイト上では、本実施例の撮像情報公開システム１００を利用して、目的とする被写体である釣り魚７の撮像画、そして（その魚７の所有者でもある）魚７を釣り上げた釣り人に関する情報、およびその魚７の大きさに関する情報を少なくとも含んでなる撮像情報が公開されている。
魚７を釣り上げた釣り人や釣り愛好家達は、自身のパソコン（クライアントＰＣ）１５からインターネット１４を介してその釣り情報交換サイトへアクセスすることで、同サイト上に公開された撮像情報を閲覧することが可能になっている。
【００４７】
ところで、目的とする被写体７の所有者がインターネット１４のウェブサイト上に公開された撮像情報にアクセスした際、公開されている撮像情報に関して例えば撮像画及び当該撮像画から得られた諸情報に対する補足情報若しくは説明を追記したくなったりした際には、目的とする被写体７の所有者は、携帯スケールプレート１の第２の面に備えられたユーザーＩＤ識別子５を利用して上記撮像情報が公開されているウェブサイトにログインし、必要な作業を実施することができる。このユーザーＩＤ識別子５は、上記撮像画及び当該撮像画に係る諸情報を保守する目的で上記撮像情報が公開されているウェブサイトにログインする際にも用いられる。
なお、このユーザーＩＤ識別子５は、携帯スケールプレート１のユーザー、ということは結局、目的とする被写体７の所有者に付与されるものであり、さらに、下記の通り上記撮像情報が公開されているウェブサイトにログインする際にはパスワードも要求されるため、ウェブサイトに公開された撮像画及び当該撮像画に係る諸情報が他人によって改ざん若しくは改変されることは皆無に等しく、本実施例は耐セキュリティ性が十分高いものと言える。
【００４８】
上記ウェブサイトにログインする際のパスワードに関しては、前段でも説明した通り、携帯スケールプレート１は当初、第２の面に初回用パスワードが記載されたラベル６が備えられた状態で提供される。
携帯スケールプレート１の所有者となった者は、この初回用パスワード及びユーザーＩＤ識別子５を用いて、ウェブサイトにログインすることが可能となる。
ここで、初回ログイン後にパスワードを変更し、さらに、初回用パスワードが記載されたラベル６を携帯スケールプレート１から取り外して保管又は廃棄することにより、パスワードは携帯スケールプレート１のユーザーである所有者本人のみが知るところとなる。
このようにすることで、ウェブサイトに公開された撮像画及び当該撮像画に係る諸情報が他人によって改ざん若しくは改変されることをより確実に防止することができる。
【００４９】
［変形例］
以上、本発明を一実施形態を用いて詳細に説明に説明したが、本発明は上記実施形態に何等限定されることなく、種々の態様で変形実施することが可能である。
【００５０】
例えば、本実施形態では一意コード２とユーザーＩＤ識別子５とを別としたが、両者に与えられたコード、ＩＤは一つの携帯スケールプレート１に対してただ一つしかないユニークなものであり、これらを同じものに統一しても構わない。
【００５１】
また、本実施形態では一意コード２とユーザーＩＤ識別子５にアルファベットと英数字数字の組合せを用いたが、特にこれに限定されない。一意性が保たれ、認識が容易なものであれば、種々の符号、記号、文字、ローマ数字等を組み合わせて用いて構わない。
【００５２】
また、本実施例では撮像情報公開システム１００の一適用例として釣り情報交換サイトを挙げたが、本考案の適用対象はこれに何等限定されない。自己の所有物を公開することを主眼とする情報共有サイト、情報交換サイトなど、種々の対象に適用することが可能である。
【００５３】
また、本実施例では、送信手段及び受信手段について、携帯電話及び携帯電話通信網の基地局を想定した無線通信としたが、もちろん有線通信であっても構わない。
したがって、例えば送信手段とウェブサーバ１３とを直接、又はコンピュータやネットワーク等を介して間接的に有線接続するような形態の下、送信手段から撮像画をウェブサーバ１３へ有線転送するような形態であっても構わない。
【００５４】
また、本実施例では、撮像手段及び送信手段について、両機能を兼ね備えたカメラ付き携帯電話を想定することとしたが、もちろん撮像手段と送信手段とは別々であって構わない。
例えば、デジタル撮影機器１０をデジタルカメラとした場合、その撮像画が、デジタルカメラに接続されたコンピュータに一旦転送されてから送信されるようなものであっても構わない。
【００５５】
以上に説明する通り、本考案は撮像された目的とする被写体のもつ情報がウェブサイト上に公開される際、目的とする被写体の大きさをはじめとする撮像された撮像画から得られる情報をコンピュータ上で解析し易くする他、必要に応じ、上記目的とする被写体の所有者と撮像者との異同に関係なく上記目的とする被写体の所有者の同定を容易に実現し得る携帯型器具を提供する新規かつ有用なるものであることが明らかである。
【符号の説明】
【００５６】
１  携帯スケールプレート
２  一意コード
３  平行線
４  上下識別マーク
５  ユーザーＩＤ識別子
６  初期パスワードを記した貼付ラベル
７  撮像する目的の被写体
８  目盛り
９  撮像範囲
１０  デジタル撮影機器
１１  撮像データの伝送イメージ
１２  撮像データの受信基地
１３  コンピュータ
１４  ネットワーク
１５  クライアントＰＣ
１００  撮像情報公開システム
【図１】
0003150510.tif 000003
【図２】
0003150510.tif 000004